(57)【要約】【課題】  第１の光ディスク規格に規定された記録フォーマットでの情報の記録及び又は再生が可能な第１のディスク部の情報記録面と、第２の光ディスク規格に規定された記録フォーマットでの情報の記録及び又は再生が可能な第２のディスク部の情報記録面とを貼り合わせて形成され、第１のディスク部の厚みが第１の光ディスク規格に規定されたディスク厚よりも薄い光ディスクの当該第１のディスク部における記録及び又は再生特性を向上させ得る光ディスク用アダプタ装置を提案する。【解決手段】  かかる第１の光ディスク規格により規定されたディスク厚と当該第１のディスク部の厚みとの差分に応じた厚みを有する透明基板部と、透明基板部を光ディスクにおける第１のディスク部側に固定する固定部とを設けるようにした。【選択図】        図１
2006059424.tif 000002
【特許請求の範囲】
【請求項１】
第１の光ディスク規格に規定された記録フォーマットでの情報の記録及び又は再生が可能な第１のディスク部の情報記録面と、第２の光ディスク規格に規定された記録フォーマットでの情報の記録及び又は再生が可能な第２のディスク部の情報記録面とを貼り合わせて形成された光ディスクに装着して使用する光ディスク用アダプタにおいて、
上記第１の光ディスク規格により規定されたディスク厚と当該第１のディスク部の厚みとの差分に応じた厚みを有する透明基板部と、
上記透明基板部を上記光ディスクにおける上記第１のディスク部側に固定する固定部と
を具えることを特徴とする光ディスク用アダプタ装置。
【請求項２】
上記透明基板部は、
上記光ディスクと同じ径を有する円板状に形成され、上記光ディスクのクランプ部に対向させて開口部が設けられた
ことを特徴とする請求項１に記載の光ディスク用アダプタ装置。
【請求項３】
上記固定部は、
上記光ディスクを周側面側から挟むようにして保持するためのばね性を有する
ことを特徴とする請求項１に記載の光ディスク用アダプタ装置。
【請求項４】
上記固定部は、
上記光ディスクと上記透明基板部との間の密着性を高めるための爪部を具える
ことを特徴とする請求項１に記載の光ディスク用アダプタ装置。
【請求項５】
上記固定部は、
上記光ディスクを周側面側から挟むようにして保持し、当該光ディスクの上記周側面との当接部位に上記光ディスクとの間の摩擦力を高めるための所定の部材が配設された
ことを特徴とする請求項１に記載の光ディスク用アダプタ装置。
【請求項６】
上記透明基板部の少なくとも一面に、上記第１のディスク部の上記情報記録面に上記情報を記録し又は当該情報記録面から上記情報を再生するために照射される光ビームの反射を押さえる反射防止膜が形成された
ことを特徴とする請求項１に記載の光ディスク用アダプタ装置。
【発明の詳細な説明】
【技術分野】
【０００１】
本発明は、光ディスク用アダプタ装置に関し、例えばデュアルディスク（Dual Disc）に適用して好適なものである。
【背景技術】
【０００２】
従来、光メディアとしてＣＤ（Compact Disc）やＤＶＤ（Digital Versatile Disc）が広く流通している。
【０００３】
このうちＣＤ１は、図７に示すように、1.2〔mm〕の厚みを有する透明基板２の情報記録面２Ａのデータ領域２ＡＸにランド及びグルーブ（図示せず）や記録情報に応じたピット３が形成され、透明基板２の他面２Ｂ側から780〔nm〕の波長の光ビームＬ１を情報記録面２Ａ上に集光させるように照射することにより、情報を記録再生することができるようになされている。
【０００４】
またＤＶＤ４は、図８に示すように、一面でなる情報記録面５Ａのデータ領域５ＡＸにランド及びグルーブ（図示せず）や記録情報に応じたピット６が形成された0.6〔mm〕の第１の透明基板５の当該情報記録面５Ａ上に同じく0.6〔mm〕の厚みを有する第２の透明基板７を貼り合わせることにより構成され、第１の透明基板５の他面５Ｂ側から650〔nm〕又は635〔nm〕の波長の光ビームＬ２を第１の透明基板５の情報記録面５Ａ上に集光させるように照射することにより、情報を記録再生することができるようになされている。
【０００５】
また近年では、ＣＤ１やＤＶＤ４に続き、Blue-rayやＨＤ−ＤＶＤ等の新しいフォーマットの光メディアも現れ、市場に流通しつつある。このため、これらすべての光メディアに対応した光ディスク装置の登場が望まれている。
【０００６】
しかしながら、光ディスク装置が１台であっても対応メディアの種類が増えると、これら光メディアを保管するための保管スペースが増加することとなる。そこで、最近では、ＣＤ及びＤＶＤの２種類の光メディアを１枚に複合した新しい光メディア（以下、これをデュアルディスクと呼ぶ）が提案されている。
【０００７】
かかるデュアルディスク１０は、図７及び図８との対応部分に同一符号を付した図９に示すように、ＣＤ規格にほぼ準拠した構成を有するＣＤ側ディスク部１１の情報記録面１１Ａと、ＤＶＤ規格に準拠した構成のＤＶＤ側ディスク部１２の情報記録面１２Ａとを貼り合わせることにより形成され、図１０に示すように、780〔nm〕の波長の光ビームＬ１をＣＤ側ディスク部１１側から当該ＣＤ側ディスク部１１の情報記録面１１Ａ上に集光させるように照射することによって、ＣＤ規格に規定された記録フォーマットでの情報の記録及び又は再生を行うことができ（図１０（Ａ））、650〔nm〕又は635〔nm〕の波長の光ビームＬ２をＤＶＤ側ディスク部１２側から当該ＤＶＤ側ディスク部１２の情報記録面１２Ａ上に集光させるように照射することによって、ＤＶＤ規格に規定された記録フォーマットでの情報の記録及び又は再生を行うことができる（図１０（Ｂ））ものである。
【発明の開示】
【発明が解決しようとする課題】
【０００８】
ところで、かかるデュアルディスク１０では、ＤＶＤ側ディスク部１２の厚みがＤＶＤ規格により規定されたディスク厚の下限である0.55〔mm〕に選定される一方で、ＣＤ側ディスク部１１の厚みがＣＤ規格により規定されたディスク厚の下限である1.1〔mm〕よりも薄い0.9〔mm〕に選定されている。
【０００９】
これは、ＣＤ側ディスク部１１の厚みをＣＤ規格により規定されたディスク厚の下限値以上とすると、デュアルディスク１０全体のディスク厚が厚くなってスピンドルモータへのチャッキングが困難となり、既存のＤＶＤ規格やＣＤ規格に準拠した光ディスク装置に使用できなくなることから、ＤＶＤ規格を優先して、ＤＶＤ側ディスク部１２の厚みをＤＶＤ規格の下限値に選定する一方で、ＣＤ側ディスク部１１の厚みを既存の光ディスク装置においてもチャッキング可能な厚みに選定したためである。
【００１０】
このためかかるデュアルディスク１０においては、ある程度の品質を維持しながらＤＶＤ側ディスク部１２の情報記録面１２Ａへの記録再生が可能であるものの、ＣＤ側ディスク部１１の情報記録面１１Ａへの記録再生時には、光ディスク装置の光ピックアップから発射されて当該情報記録面１１Ａに照射される光ビームＬ１に大きな球面収差が発生し、ＣＤ側ディスク部１１の情報記録面１１Ａ上における光ビームＬ１のスポット品位が低下して、当該情報記録面１１Ａに対する記録再生特性に悪影響を及ぼす問題があった。
【００１１】
かかる課題を解決するための１つの手法として、特開平１０−２６９６１１号公報において開示された光ピックアップ内に液晶素子を配設する方法を採用することが考えられるものの、既存の光ディスク装置にはこのような工夫がなされてはいない。従って、かかる特開平１０−２６９６１１号公報に開示された方法を採用することなく、上述の問題を解決できる方法が望まれる。
【００１２】
本発明は以上の点を考慮してなされたもので、第１の光ディスク規格に規定された記録フォーマットでの情報の記録及び又は再生が可能な第１のディスク部の情報記録面と、第２の光ディスク規格に規定された記録フォーマットでの情報の記録及び又は再生が可能な第２のディスク部の情報記録面とを貼り合わせて形成され、第１のディスク部の厚みが第１の光ディスク規格に規定されたディスク厚よりも薄い光ディスクの当該第１のディスク部における記録及び又は再生特性を向上させ得る光ディスク用アダプタ装置を提案しようとするものである。
【課題を解決するための手段】
【００１３】
かかる課題を解決するため本発明においては、第１の光ディスク規格に規定された記録フォーマットでの情報の記録及び又は再生が可能な第１のディスク部の情報記録面と、第２の光ディスク規格に規定された記録フォーマットでの情報の記録及び又は再生が可能な第２のディスク部の情報記録面とを貼り合わせて形成された光ディスクに装着して使用する光ディスク用アダプタにおいて、第１の光ディスク規格により規定されたディスク厚と当該第１のディスク部の厚みとの差分に応じた厚みを有する透明基板部と、透明基板部を光ディスクにおける第１のディスク部側に固定する固定部とを設けるようにした。
【００１４】
この結果この光ディスク用アダプタ装置を用いることで、第１の光ディスク規格により規定されたディスク厚と当該第１のディスク部の厚みとの差異に起因して、第１のディスク部の情報記録面に情報を記録し又は当該情報記録面から情報を再生するために照射される光ビームに発生する球面収差を矯正することができる。
【発明の効果】
【００１５】
本発明によれば、第１の光ディスク規格に規定された記録フォーマットでの情報の記録及び又は再生が可能な第１のディスク部の情報記録面と、第２の光ディスク規格に規定された記録フォーマットでの情報の記録及び又は再生が可能な第２のディスク部の情報記録面とを貼り合わせて形成された光ディスクに装着して使用する光ディスク用アダプタにおいて、第１の光ディスク規格により規定されたディスク厚と当該第１のディスク部の厚みとの差分に応じた厚みを有する透明基板部と、透明基板部を光ディスクにおける第１のディスク部側に固定する固定部とを設けるようにしたことにより、第１の光ディスク規格により規定されたディスク厚と当該第１のディスク部の厚みとの差異に起因して、第１のディスク部の情報記録面に情報を記録し又は当該情報記録面から情報を再生するために照射される光ビームに発生する球面収差を矯正することができ、かくして第１のディスク部の記録及び又は再生特性を向上させ得る光ディスク用アダプタ装置を実現できる。
【発明を実施するための最良の形態】
【００１６】
以下図面について、本発明の一実施の形態を詳述する。
【００１７】
（１）本実施の形態による光ディスク用アダプタの構成
図１において、２０は全体として本実施の形態による光ディスク用アダプタを示し、透明な円板形状の透明基板部２０Ａの外周一周に渡ってデュアルディスク１０（図９）の厚みよりも僅かに大きい高さを有する周囲壁でなる固定部２０Ｂが一体成形されることにより構成されている。
【００１８】
この場合光ディスク用アダプタ２０においては、透明基板部２０Ａの径がデュアルディスク１０の径と同じ大きさに選定されており、これにより図２に示すように、透明基板部２０Ａと固定部２０Ｂとで囲まれる空間内にデュアルディスク１０を嵌め込むようにしてデュアルディスク１０に装着することができるようになされている。
【００１９】
このため固定部２０Ｂには、図１のように所定間隔で切欠き２０ＢＡが設けられており、これにより透明基板部２０Ａと固定部２０Ｂとで囲まれるかかる空間内にデュアルディスク１０を嵌め込む際に、当該空間内にデュアルディスク１０をスムーズに嵌め込むことができるようになされている。
【００２０】
またこの光ディスク用アダプタ２０は、少なくとも透明基板部２０Ａがデュアルディスク１０のＣＤ側ディスク部１１と同じ材料であるポリカーボネイトを用いて形成されると共に、当該透明基板部２０Ａの厚みが、デュアルディスク１０におけるＣＤ側ディスク部１１の厚みとＣＤ規格によるＣＤ１（図７）の厚みとの差分である0.3〔mm〕に選定されている。
【００２１】
これによりこの光ディスク用アダプタ２０においては、デュアルディスク１０のＣＤ側ディスク部１１側に装着することによって、そのデュアルディスク１０のＣＤ側ディスク部１１側の見た目上の厚みをＣＤ規格において規定された1.2〔mm〕となるように矯正することができるようになされている。
【００２２】
かくするにつきこの光ディスク用アダプタ２０においては、この状態でデュアルディスク１０がＣＤ用の光ディスク装置に装填されて、ＣＤ側ディスク部１１の情報記録面１１Ａに情報を記録し又は当該情報記録面１１から情報を再生する際に、当該光ディスク装置の光ピックアップから発射された光ビームＬ１（図１０）にデュアルディスク１０のＣＤ側ディスク部１１がＣＤ規格よりも薄いことに起因する球面収差が発生するのを未然かつ確実に防止することができるようになされている。
【００２３】
このためこの光ディスク用アダプタ２０においては、デュアルディスク１０におけるスピンドルモータにチャッキングするための部位であるクランプ部１０Ａ（図９）と対向させて、透明基板部２０Ａの中央位置に当該クランプ部１０Ａと同じ径（22〜33〔mm〕）の開口部２０ＡＸが設けられており、これによりこの光ディスク用アダプタ２０を装着した状態でデュアルディスク１０を光ディスク装置に装填したときにも、当該光ディスク用アダプタ２０の透明基板部２０Ａの厚みに邪魔されることなく、光ディスク装置のチャッキング機構がデュアルディスク１０を確実にチャッキングすることができるようになされている。
【００２４】
また光ディスク用アダプタ２０においては、固定部２０Ｂが全体として内側方向に僅かに傾けて形成されており、これにより図２のようにデュアルディスク１０に装着されたときに、当該デュアルディスク１０によって押し広げられた状態から元の状態に戻ろうとする固定部２０Ｂのばね性によって、そのデュアルディスク１０をその周側面側から挟むようにして保持することができるようになされている。
【００２５】
このときデュアルディスク１０の周側面と当接する固定部２０Ｂの内側には、図３（Ａ）に示すように、当該固定部２０Ｂの内側面の一周に渡って溝部２０ＢＸが形成されると共に、この溝部２０ＢＸには、固定部２０Ｂの内側面よりもその一部が僅かに突出するようにデュアルディスク１０との間の摩擦力を高めるためのゴム材からなる環状の滑止め部材２１が嵌め込まれている。
【００２６】
これによりこの光ディスク用アダプタ２０においては、図２のようにデュアルディスク１０に装着されたときに、固定部２０Ｂの上述したばね性によって、図３（Ｂ）に示すように、滑止め部材２１を当該デュアルディスク１０の周側面に圧接させることができ、かくして装着先のデュアルディスク１０が光ディスク装置に装填されて回転駆動されたときにも、当該デュアルディスク１０と滑止め部材２１との間に発生する摩擦力によって、滑ることなくそのデュアルディスク１０と常に一体に回転することができるようになされている。
【００２７】
さらに光ディスク用アダプタ２０においては、固定部２０Ｂの先端部に、一周に渡って内側に突出するように、かつ透明基板部２０までの高さがデュアルディスク１０の厚み（1.45〔mm〕）と一致するように爪部２１ＢＹが形成されており、これにより図２のようにデュアルディスク１０に装着されたときに、当該爪部２１ＢＹと透明基板部２０Ａとによってそのデュアルディスク１０の外周部を強い力で挟み込むことによって、当該デュアルディスク１０におけるＣＤ側ディスク部１１側の表面（すなわちデュアルディスク１０におけるＣＤ側ディスク部１１の他面１１Ｂ）と透明基板部２０Ａとの間の密着性を高めることができるようになされている。
【００２８】
かくするにつきこの光ディスク用アダプタ２０においては、装着先のデュアルディスク１０と透明基板部２０Ａとの間に空隙が生じることに起因して、透明基板部２０による上述した光ビームＬ２の球面収差の矯正性能が劣化するのを未然に防止することができ、さらにはデュアルディスク１０と透明基板部２０Ａとの間の摩擦力によって当該デュアルディスク１０との一体性をより向上させ得るようになされている。
【００２９】
一方、光ディスク用アダプタ２０においては、図４に示すように、透明基板部２０Ａの内側面２０ＡＹ及び外側面２０ＡＺ上にそれぞれ全面に渡って反射防止膜２２Ａ、２２Ｂが形成されており、これにより装着先のデュアルディスク１０が光ディスク装置に装着されて、当該デュアルディスク１０のＣＤ側ディスク部１１（図９）の情報記録面１１Ａ（図９）に情報を記録し又は当該情報記録面１１Ａから情報を再生する際にデュアルディスク１０に照射されるレーザ光Ｌ１（図１０）がこの光ディスク用アダプタ２０の透明基板部２０Ａの内側面２０ＡＹや外側面２０ＡＺにおいて反射することを未然に防止し、当該反射に起因する迷光の発生を有効に防止して当該迷光による悪影響の発生を未然に回避し得るようになされている。
【００３０】
なおこの実施の形態の場合、かかる反射防止膜２２Ａ、２２Ｂは、例えば図５に示すように、光ディスク用アダプタ２０における透明基板部２０Ａの内側面２０ＡＹや外側面２０ＡＺ上に低屈折率層又は中間屈折率層（第１、第３、第５及び第７層３０、３２、３４、３６）と高屈折率層（第２、第４及び第６層３１、３３、３５）とを順次交互に積層した７層構造でなる。
【００３１】
この場合において、反射防止膜２２Ａ、２２Ｂにおける第１〜第７層３０〜３６の光学的膜厚が0.045λ０以上であれば、機械的膜厚が90〔Å〕以上となって、一般的な成膜条件である成膜レート５〔Å／sec〕、ドーム回転数10〔sec／回転〕で成膜した場合にドームが1.8回転以上回転することになるので、実用上十分な精度で膜厚の均一性を制御することができる。またかかる第１〜第７層の光学的膜厚が0.3000λ０よりも大きくなると、蒸着物質や成膜条件にもよるが、光学的不均質性を生じない膜を成膜することができない。
【００３２】
そこで本実施の形態においては、図６に示すように、ＣＤ規格で規定されたレーザ光Ｌ１（図１０）の波長をλ０（＝780〔nm〕）として、第１、第３、第５及び第７層３０、３２、３４、３６を、それぞれ屈折率ｎａ（ｎａ＝ｎ１、ｎ３、ｎ５、ｎ７）が次式
【００３３】
【数１】
2006059424.tif 000003
【００３４】
を満たす第１の物質（例えば酸化アルミニウム（Al２O３）やフッ化マグネシウム（MgF２））を光学的膜厚ｎａｄａ（ｄａ＝ｄ１、ｄ３、ｄ５、ｄ７）が次式
【００３５】
【数２】
2006059424.tif 000004
【００３６】
となるように積層することにより形成し、第２、４、６層３１、３３、３５を、それぞれ屈折率ｎｂ（ｎｂ＝ｎ２、ｎ４、ｎ６）が次式
【００３７】
【数３】
2006059424.tif 000005
【００３８】
を満たす第２の物質（例えば酸化ジルコニウム（ZrO2）に酸化チタン（TiO２）を約10〔％〕混合した物質）を光学的膜厚ｎｂｄｂ（ｄｂ＝ｄ２、ｄ４、ｄ６）が次式
【００３９】
【数４】
2006059424.tif 000006
【００４０】
となるように積層することにより形成している。
【００４１】
（２）本実施の形態の動作及び効果
以上の構成において、この光ディスク用アダプタ２０は、ＣＤ規格に規定されたディスク厚と、デュアルディスク１０のＣＤ側ディスク部１１の厚みとの相違に起因して発生する光ビームＬ１（図１０（Ａ））の球面収差を透明基板部２０Ａにおいて矯正する。
【００４２】
従って、デュアルディスク１０のＣＤ側ディスク部１１の情報記録面１１Ａに情報を記録し又は当該情報記録面１１Ａに記録された情報を再生する場合に、この光ディスク用アダプタ２０をデュアルディスク１０のＣＤ側ディスク部１１側に装着することによって、当該情報記録面１１Ａ上における光ビームＬ１のスポット品位の低下を確実に防止することができ、かくしてデュアルディスク１０のＣＤ側ディスク部１１の記録再生特性を向上させることができる。
【００４３】
またこの場合において、この光ディスク用アダプタ２０はデュアルディスク１０に直接装着するものであり、光ディスク装置側には何らの改良をも必要としないため、既存のＣＤ規格に準拠した既存の光ディスク装置を用いてデュアルディスク１０に高品位に情報をＣＤ規格に規定された記録フォーマットで記録し又は当該記録された情報を再生することができる。
【００４４】
以上の構成によれば、ＣＤ規格に規定されたディスク厚と、デュアルディスク１０のＣＤ側ディスク部１１の厚みとの相違に起因して発生する光ビームＬ１の球面収差を矯正するようにしたことにより、デュアルディスク１０のＣＤ側ディスク部１１の情報記録面１１Ａに情報を記録し又は当該情報記録面１１Ａに記録された情報を再生する際の当該情報記録面１１Ａ上における光ビームＬ１のスポット品位の低下を防止することができ、かくしてデュアルディスク１０のＣＤ側ディスク部１１の記録再生特性を向上させ得る光ディスク用アダプタを実現できる。
【００４５】
（３）他の実施の形態
なお上述の実施の形態においては、本発明をデュアルディスク１０用の光ディスク用アダプタ２０に適用するようにした場合について述べたが、本発明はこれに限らず、第１の光ディスク規格に規定された記録フォーマットでの情報の記録及び又は再生が可能な第１のディスク部の情報記録面と、第２の光ディスク規格に規定された記録フォーマットでの情報の記録及び又は再生が可能な第２のディスク部の情報記録面とを貼り合わせて形成された光ディスク用の光ディスク用アダプタとして広く適用することができる。
【００４６】
また上述の実施の形態においては、光ディスク用アダプタ２０の透明基板部２０Ａを、デュアルディスク１０と同じ径を有する円板状に形成する場合について述べたが、本発明はこれに限らず、少なくともデュアルディスクのＣＤ側ディスク部１１のデータ領域を覆うことができる形状及び大きさであるのならば、透明基板部２０Ａの形状及び大きさとしてはこの他種々の形状及び大きさを選定することができる。
【００４７】
さらに上述の実施の形態においては、光ディスク用アダプタ２０の透明基板部２０Ａを透明基板部２０Ａがデュアルディスク１０のＣＤ側ディスク部１１と同じ材料であるポリカーボネイトを用いて形成すると共に、当該透明基板部２０Ａの厚みを、デュアルディスク１０におけるＣＤ側ディスク部１１の厚みとＣＤ規格によるＣＤ１（図７）の厚みとの差分である0.3〔mm〕に選定するようにした場合について述べたが、本発明はこれに限らず、光学距離がポリカーボネイトの0.3〔mm〕に相当するように材料及び厚みを選定するのであれば、透明基板部２０Ａの材料及び厚みとしてはこの他種々の材料及び厚みを広く適用することができる。
【００４８】
また透明基板２０Ａの材料としてポリカーボネイトを用いる場合においても、デュアルディスク１０の矯正後の見かけ上のＣＤ側ディスク部１１の厚みがＣＤ規格に規定されたディスク厚の範囲内に入るように透明基板２０Ａの厚みを選定するのであれば、かかる透明基板２０Ａの厚みを0.3〔mm〕以外に選定するようにしても良い。
【００４９】
さらに上述の実施の形態においては、光ディスク用アダプタ２０の透明基板部２０Ａをデュアルディスク１０に固定する固定部２０Ｂを、透明基板部２０Ａの外周一周に渡って設けられた周囲壁として形成するようにした場合について述べたが、本発明はこれに限らず、透明基板部２０Ａの外周部に間欠的に形成された突起部として固定部２０Ｂを形成するようにしても良く、固定部２０Ｂの構成としてはこの他種々の構成を広く適用することができる。
【００５０】
さらに上述の実施の形態においては、光ディスク用アダプタ２０の固定部２０Ｂにおけるデュアルディスク１０との当接部位（内周面）に当該デュアルディスク１０との摩擦力を高めるための部材としてゴム材からなる環状の滑止め部材２１を適用するようにした場合について述べたが、本発明はこれに限らず、かかる部材の材質及び形状としてはこの他種々の材質及び形状を広く適用することができる。
【００５１】
さらに上述の実施の形態においては、光ディスク用アダプタ２０の透明基板部２０Ａの内側面２０ＡＹ及び外側面２０ＡＺ上にそれぞれ全面に渡って反射防止膜２２Ａ、２２Ｂを形成するようにした場合について述べたが、本発明はこれに限らず、いずれか一方にのみ反射防止膜２２Ａ、２２Ｂを形成するようにしても良い。
【００５２】
またこの場合において、上述の実施の形態においては、反射防止膜２２Ａ、２２Ｂを図５及び図６について上述したように構成するようにした場合について述べたが、本発明はこれに限らず、反射防止膜２２Ａ、２２Ｂの構成としては、この他種々の構成を広く適用することができる。
【産業上の利用可能性】
【００５３】
本発明は、デュアルディスクのほか、第１の光ディスク規格に規定された記録フォーマットでの情報の記録及び又は再生が可能な第１のディスク部の情報記録面と、第２の光ディスク規格に規定された記録フォーマットでの情報の記録及び又は再生が可能な第２のディスク部の情報記録面とを貼り合わせて形成され、第１のディスク部の厚みが第１の光ディスク規格に規定されたディスク厚よりも薄い光ディスク用のアダプタとして広く適用することができる。
【図面の簡単な説明】
【００５４】
【図１】本実施の形態による光ディスク用アダプタの構成を示す平面図及び断面図である。
【図２】本実施の形態による光ディスク用アダプタの使用状態の様子を示す断面図である。
【図３】光ディスク用アダプタの詳細構成の説明に供する断面図である。
【図４】光ディスク用アダプタの詳細構成の説明に供する断面図である。
【図５】反射防止膜の説明に供する断面図である。
【図６】反射防止膜の説明に供する図表である。
【図７】従来のＣＤの概略構成を示す概念図である。
【図８】従来のＤＶＤの概略構成を示す概念図である。
【図９】デュアルディスクの概略構成を示す概念図である。
【図１０】デュアルディスクにおける情報の記録再生の説明に供する概念図である。
【符号の説明】
【００５５】
１０……デュアルディスク、１１……ＣＤ側ディスク部、１１Ａ、１２Ａ……情報記録面、１２……ＤＶＤ側ディスク部、２０……光ディスク用アダプタ、２０Ａ……透明基板部、２０ＡＸ……開口部、２０ＡＹ……内側面、２０ＡＺ……外側面、２０Ｂ……固定部、２０ＢＹ……爪部、２１……滑止め部材、２２Ａ、２２Ｂ……反射防止膜。
【図１】
2006059424.tif 000007
【図２】
2006059424.tif 000008
【図３】
2006059424.tif 000009
【図４】
2006059424.tif 000010
【図５】
2006059424.tif 000011
【図６】
2006059424.tif 000012
【図７】
2006059424.tif 000013
【図８】
2006059424.tif 000014
【図９】
2006059424.tif 000015
【図１０】
2006059424.tif 000016